(57)【要約】【課題】  着物の着付けで、帯結びの着装は手結びでも造り帯でも帯がきれいに決まると一日嬉しいものであるが、悩みの一因として帯枕の紐で胸元が締め付けられる苦痛があり、上記のことから本発明は手結び、及び造り帯に係らず帯枕の紐で胸元を締め付けないための帯枕紐低位置固定具を提供する。【解決手段】  本発明は帯結びの着装時に用いる補助具で、帯枕の紐を胸元から腹部近傍に移動を可能にした誘引紐兼留め紐を用いて胸元を締め付ける苦しさから取り除き、また帯結びが綺麗にしかも楽に作ることができ、お太鼓結びの帯山も長時間たっても崩れにくいことを可能にした帯枕紐低位置固定具。【選択図】図１
2015010286.tif 000002
【特許請求の範囲】
【請求項１】
着付け時に胸元で結ぶ帯枕の紐を腹部近傍に下げて胸の苦痛を和らげ安定させる為の補助具に関するもので、上部、上辺を凸状に形成した固定具の最下部左右両端に、一端を夫々固定した所定長の誘引紐兼留め紐を備えると共に、前記固定具左右の縦方向側に伸縮紐を備えたことを特徴とする帯枕紐低位置固定具。
【請求項２】
前記固定具は、固定具の上部、上辺を凸状形にすることで背中面との間に空間を形成すると共に、固定具の面に通気孔を備えたことを特徴とする請求項１に記載の帯枕紐低位置固定具。
【請求項３】
前記伸縮紐は前記固定具の左端と右端に備え一対を成し、前記固定具の縦方向の上側と下側とを繋ぐループ状の伸縮紐又は前記固定具の縦方向の中央位置に一端を固定した巾広伸縮ベルトを備えたことを特徴とする請求項１又は請求項２のいずれかに記載の帯枕紐低位置固定具。
【発明の詳細な説明】
【技術分野】
【０００１】
本発明は帯枕紐低位置固定具に関するものである。
【背景技術】
【０００２】
従来の帯枕を乗せるきものの着付け用台付きベルトは、両端にベルトを備えたかまぼこ状の台座の背面側にすべり止めを設け、後ろの台座部は高く、前のベルト結部は低い位置に止めた状態にし、台座部の上に帯枕を乗せて帯枕の紐を前側下方で結んだものがある。帯枕紐を前側で結びその結びメを帯の内側低位置に押し込めたとしても、身体の動きや体形により帯枕紐は動いてしまい、帯枕は安定性が失われる。帯枕をしっかり固定しようとすると帯枕紐をきつく胸元で締めることになるので、胸元の苦痛を排除できていない。このきものの着付け用台付きベルトの難点は帯枕紐を結ぶ位置が胸元近傍にあることである。
【０００３】
よってこのきものの着付け用台付きベルトの使用では帯枕の紐を腹部近傍へ下げることは出来ず胸元で帯枕の紐を結ぶことになるので、胸元を締め付けず苦しくない着付けを行うてんに於いて欠点である。
【先行技術文献】
【特許文献】
【０００４】
【非特許文献１】意願平１１−２６９７０
【発明の概要】
【発明が解決しようとする課題】
【０００５】
本発明は以上のような従来の欠点に鑑み、帯結びの帯枕紐を胸元近傍で締め付けることから発生する苦痛を解消するために用いる誘引紐兼留め紐により、胸元近傍が非常に楽になり、締め付けない胸元を可能にした帯枕紐低位置固定具の提供を目的とする。
【課題を解決するための手段】
【０００６】
上記目的を達成する手段として着付け時に胸元で結ぶ帯枕の紐を腹部近傍に下げて胸の苦痛を和らげ安定させる為の補助具に関するもので、上部、上辺を凸状に形成した固定具の最下部左右両端に、一端を夫々固定した所定長の誘引紐兼留め紐を備えると共に、前記固定具左右の縦方向側に伸縮紐を備えたことを特徴とする帯枕紐低位置固定具である。
【０００７】
上記目的を達成する他の手段として前記固定具は、固定具の上部、上辺を凸状形にすることで背中面との間に空間を形成すると共に、固定具の面に通気孔を備えたことを特  徴とする請求項１に記載の帯枕紐低位置固定具である。
【０００８】
上記目的を達成する他の手段として前記伸縮紐は前記固定具の左端と右端に備え一対を成し、前記固定具の縦方向の上側と下側とを繋ぐループ状の伸縮紐又は前記固定具の縦方向の中央位置に一端を固定した巾広伸縮ベルトを備えたことを特徴とする請求項１又は請求項２のいずれかに記載の帯枕紐低位置固定具である。
【発明の効果】
【０００９】
以上の説明から明らかなように本発明にあっては次に上げる効果が見られる。胴の腰位置で固定具を安定させる為に、横の動きに対して伸縮性の素材を用いて胴体に巻きつけ身体の腰位置で止めること。縦の動きに対して、固定具上部に凸状に湾曲した固定具と平らな背中の面との間にできる空間によって、帯枕を固定具の上部に留めることが可能となり、固定具の上に乗る帯枕が上方向に動く固定具の力を抑える目的としても使用できる。固定具を縦と横の動きに対し、しっかり固定することで誘引紐兼留め紐が腹部低位置に安定して留まることが担保される。長い時間の装いに於いても伸縮性素材を用いることで腰周りが締め付けられることがなく、更に帯枕の紐で胸元を締め付けていた、従来の着付けも本帯枕紐低位置固定具に備えた誘引紐兼留め紐を用いることで帯枕の紐が胸元位置より下がり、胸元が締め付けられる苦しさから開放される。また帯枕の紐と誘引紐兼留め紐とが互いに引き合うので、誘引紐兼留め紐は胴巻きの中に引き込まれ表からは見えなくなり相乗効果が生まれる。
【００１０】
帯枕の紐を下に留めることで、帯枕の紐で締め付けていた苦しさから解消されるだけでなく、お太鼓結びの帯山の形もきれいに整えられるという利点がある。
【００１１】
帯枕紐低位置固定具は帯枕を使わない結び方の帯結びにも、後ろにある固定具によって、背中側の胴巻きが皺にならずにきれいな状態を保つことを可能とした。この帯枕紐低位置固定具を用いることで、胸元が締め付けられず苦しく無いので、安心して食事ができることは嬉しいことである。また帯枕紐低位置固定具を背中の上、下どこにあてるかにより帯を希望の高さに決めることが容易に出来るので身長により微妙に帯の位置を変えたい人や、腕が上がりにくくなった方、初心者で着付けに慣れていない方等にも帯山の高さを決めやすく重宝に用いることができ、更にお太鼓の山の崩れを気にすることが不要なので、長い時間の着物姿でも気持ちにゆとりが出来るので着物に対する良いイメージが確立される。
【００１２】
帯枕の紐を伸縮性の紐に換えることで低位置へ下げる作業が容易にでき、太鼓の山を綺麗な形に整えることも楽に出来る。
【００１３】
帯枕紐低位置固定具の腰にあてる固定具の部材は軽い素材が適材であるが、形が柔軟に変形する材質では目的に合わない。また着物や帯で汗が出やすいので通気性を考慮に入れた形が重要である。
【図面の簡単な説明】
【００１４】
【図１】本発明の実施例１の帯枕紐低位置固定具の斜視図。
【図２】着物を着た上に帯枕紐低位置固定具を装着した図。
【図３】帯枕紐低位置固定具の上に太鼓結びを乗せた模式図。
【図４】帯枕紐を前で結び誘引紐兼留め紐に通した図。
【図５】帯枕紐を誘引紐兼留め紐で下方へ下げた図。
【図６】下げた帯枕紐と誘引紐兼留め紐を腹部近傍で留めた図。
【図７】本発明の実施例２の帯枕紐低位置固定具の斜視図。
【図８】本発明の実施例３帯枕紐低位置固定具の斜視図。
【図９】本発明の実施例４帯枕紐低位置固定具の斜視図。
【発明を実施するための形態】
【００１５】
本発明の帯枕紐低位置固定具を具体化した形態について以下図面を用いて説明をする。
【実施例１】
【００１６】
図１  〜  図６  に基づいて実施例１を説明する。
背中側腰位置に当てる固定具１１は背中の平面に対して上部を湾曲イしたことで、上部が凸型になり、この凸型が平らな背中との間に空間Ａを作り、上部に帯枕紐２６をセットした帯枕２１が乗る機能を備えた構造である。固定具１１の縦方向ロの左右両サイドから伸縮性の胴巻き部材（伸縮紐）１２−１、１２−２を前側に引き寄せ胴巻き部材１２−１、１２−２の中央部に設けた紐１３−１、１３−２で（図４参照）結び、固定具１１を横にずれる動きから守り、また固定具１１の上部を凸型にしたことで空間Ａができ、その結果固定具１１の上に帯枕２１を置く構造としたことから縦にずれる動きを抑えることを可能にし、固定具１１が身体（背中）と一体となり綺麗で長時間でも崩れない帯結びと、帯枕紐を胸位置で締め付けないために誘引紐兼留め紐を備えたことで苦痛のない着付けを可能にした。
【００１７】
固定具１１は帯の表から見えないことが必要である。固定具１１の横巾は帯巾約３１センチより大きくなく、固定具１１の縦巾は帯の胴巻き巾役１５センチより大きくない寸法であることが重要である。また固定具１１の上部を凸状にすることで、背中面と固定具１１との間にできる空間Ａの寸法は帯枕２１を置くために、空間を確保するものなので、基本として背に当てる帯枕２１より長くなく、巾も帯枕２１より広くないことが前提である。帯枕も大小あるが参考として一例を上げると帯枕２１の巾約４センチ、帯枕２１の長さ約２３センチなら、空間Ａは巾４センチ以下、長さ２３センチ以下とする。
【００１８】
伸縮性の胴巻き部材（伸縮紐）１２−１、１２−２を備えた固定具１１の最下位両端に誘引紐兼留め紐２８を各々の一端に固定した。
【００１９】
通常の着物と帯を着付ける手順の間にこの帯枕紐低位置固定具１０を装着し、帯を装着する流れの一部に、お太鼓結びの帯枕紐２６を腹部近傍に留める手順があり、順次図を用いて説明をする。
【００２０】
着物を着て帯を巻く前に、帯枕紐低位置固定具１０を腰にあて、左右の伸縮性の胴巻き部材（伸縮紐）１２−１、１２−２を前に回して、伸縮性の胴巻き部材（伸縮紐）１２−１、１２−２に備えた結び紐１３−１、１３−２を使い腹部位置で止める。この結び紐１３−１、１３−２を用いる意味は胴巻きの帯の表に結びメがコブとなり目立つことを防ぐ為である。固定具１１の下位置に備えた留め紐兼誘導紐２８の片方を胸の位置に運び、重ねた着物の衿元にピンチ１５で仮止めをしておく（図４参照）。
【００２１】
次に帯枕紐２６に包んだ帯枕２１をセットした帯を帯枕紐低位置固定具１０の固定具１１の上に乗せ身体に装着する。平らな背中と凸状に湾曲イした固定具１１との間に空間Ａができることから、帯枕２１を安定して乗せ置くことを可能にした（図３参照）。
【００２２】
帯枕２１を背中に乗せ置く動作の流れで帯枕紐２６を前に回して胸元で結ぶが、その時に誘引紐兼留め紐２８に帯枕の紐２６をくぐらせてから帯枕紐２６どうしを結ぶ。そして仮止めのピンチ１５を外し、誘引紐兼留め紐２８の端を下方に引くことで帯枕紐２６が誘引紐兼留め紐２８に引き寄せられて腹部側へ下がり、もう片方の誘引紐兼留め紐２８と帯枕紐２６を誘引した誘引紐兼留め紐２８を結ぶ（図４、図５、図６参照）。
【００２３】
この状態で帯枕紐２６は腹部近傍で留まることとなり、また誘引紐兼留め紐２８は帯枕紐２６が上に戻ろうとする力により胴巻き２５の内側に入るので帯の表からは見えなくなる。
【００２４】
横の動きを抑える為に、固定具１１の左右両脇に伸縮性の胴巻き部材（伸縮紐）１２−１、１２−２を備え身体と一体化させるために前に回し、さらに伸縮紐１２−１、１２−２の先端方向に結び紐１３−１、１３−２を備えて腹部位置で結ぶ。結び紐１３−１、１３−２は結びメのコブが帯の表に影響しない為に細い紐を用いた。
【００２５】
帯枕２１を縦の動きを抑えるストッパーとして用いるために、背中の平らな面と凸状に湾曲イした固定具１１との間に空間Ａを確保することで、帯枕２１が固定具１１の上部に留まることが出来る構造となる。固定具１１を定位置に固定させるために上、下の動きや左、右の動きは停止させる必要がある。その必要性の意味は誘引紐兼留め紐２８を腰位置でしっかりと安定させる為であり、誘引紐兼留め紐２８を腰位置で安定させる意味は帯枕紐２６を胸元から腹部近傍に留めるためであり、帯枕紐２６を腹部近傍で留める意味は帯枕紐２６によって胸元を締めつけられる苦しさを排除する必要があるからである。
【００２６】
着物を着るときに帯がきれいな形で決まるかどうかで気分が変わってくるが、この帯枕紐低位置固定具１０は複雑な作りではないが、締め付けない着付けを自分自身で短い      時間内に綺麗に着ることができ、帯結びの安定も可能にし、長い時間の装いにも疲れを感じない着付けが実感できるものである。
【実施例２】
【００２７】
図７に基づいて実施例２を説明する。
実施例１と実施例２との違いは、実施例１の固定具１１の左右や上下の角を丸くしたことで、デザイン性を重視した固定具５１である。また図７の固定具５１には伸縮ベルト１２−３、１２−４を用い、結び部材は面ファスナー１４−１、１４−２を用い胴巻きの帯の表面が結びメで、コブになるのを防ぐ効果を持たせた。実施例２の他の機能は実施例１と共通の符号を用い、重複する説明は省略する。
【実施例３】
【００２８】
図８に基づいて実施例３を説明する。
実施例３に用いた固定具６１と実施例１に用いた固定具１１と異なる個所は、固定具６１の縦方向の中央位置に伸縮ベルト１２−３、１２−４を備え更に、結び部材は面ファスナー１４−１、１４−２を用いた実施例である。実施例３の他の機能は実施例１及び実施例２と共通の符号を用い、重複する説明は省略する。
【実施例４】
【００２９】
図９に基づいて実施例４を説明する。
実施例４の固定具７１は実施例２に用いた固定具５１に伸縮紐１２−１、１２−２を、縦方向の上側と下側とをループ状にして繋いだ実施例である。実施例４の他の機能は実施例１及び実施例２と共通の符号を用い、重複する説明は省略する。
【産業上の利用可能性】
【００３０】
本発明は帯枕紐低位置固定具を生産する産業と着付け業界で利用される。
【符号の説明】
【００３１】
１        着物を着た状態。
１０      帯枕紐低位置固定具。
１１      固定具。  
５０      帯枕紐低位置固定具。
５１      固定具。
６０      帯枕紐低位置固定具。
６１      固定具。
７０      帯枕紐低位置固定具。
７１      固定具。  
１２−１  伸縮性の胴巻き部材（伸縮紐）。
１２−２  伸縮性の胴巻き部材（伸縮紐）。
１２−３  伸縮性の胴巻き部材（伸縮ベルト）。
１２−４  伸縮性の胴巻き部材（伸縮ベルト）。  
１３−１  結び部材−紐。
１３−２  結び部材−紐。
１４−１  結び部材−面ファスナー。
１４−２  結び部材−面ファスナー。
１５      ピンチ。
２０      太鼓。
２１      帯枕。
２２      太鼓山。
２３      たれ。
２４      手先。
２５      胴巻き。
２６      帯枕紐  。
２８      誘引紐兼留め紐。
Ａ        空間
イ        湾曲部。
ロ        固定具縦巾。
ハ        固定具横巾。
【図１】
2015010286.tif 000003
【図２】
2015010286.tif 000004
【図３】
2015010286.tif 000005
【図４】
2015010286.tif 000006
【図５】
2015010286.tif 000007
【図６】
2015010286.tif 000008
【図７】
2015010286.tif 000009
【図８】
2015010286.tif 000010
【図９】
2015010286.tif 000011